(57)【要約】【課題】高解像度の表示部２０の機能を十分に活用し、使用者にとって利便性がよいナビゲーション装置２を提供する【解決手段】ナビゲーション装置２は、テレビ受信部２１と、リモコン１１と、サーバー３に出発地点Ｓ及び目標地点Ｔの情報を送信するとともに、サーバー３から、出発地点Ｓから目標地点Ｔまでの経路を表示した地図画像３０Ａと、出発地点Ｓから乗車場所までの徒歩による経路Ｒ２を表示した地図画像３０Ｂと、下車場所から目標地点Ｔまでの徒歩による経路Ｒ３を表示した地図画像３０Ｃを受信する通信部２２と、地図画像３０Ａ〜３０Ｃを、それぞれが独立して拡大縮小できる画像３０として、１画面に合成する画像合成部２４と、画像合成部２４が合成した画像３０を表示する、解像度が４Ｋ以上の表示部２０と、を具備する。【選択図】図１
2014115257.tif 000002
【特許請求の範囲】
【請求項１】
テレビジョン放送を受信し、番組画像を生成するテレビ受信部と、
第１地点及び第２地点の情報が入力される入力部と、
サーバーにネットワーク回線を介してアクセスし、前記サーバーに前記第１地点及び第２地点の情報を送信するとともに、前記サーバーから、前記第１地点から前記第２地点までの経路情報画像と、前記経路情報と関連性のある関連情報画像である、前記第１の地点から乗車場所までの経路情報を含む地図、下車場所から前記第２地点までの経路情報を含む地図、前記第２地点を中心とする複数の駐車場の位置を示した地図、前記駐車場から第２地点までの徒歩による経路情報を含む地図、及び前記経路に沿って撮影された写真、を受信するとともに、携帯端末が１枚ずつ表示できる状態になるように指定された受信画像を、クラウドサーバーに転送する通信部と、
前記サーバーから受信した前記経路情報を表示した画像と前記関連情報にもとづく画像とを、それぞれが独立して拡大縮小できる画像として合成する画像合成部と、
前記番組画像及び前記画像合成部が合成した画像を表示する、解像度が４Ｋ以上の表示部と、を具備することを特徴とするナビゲーション装置。
【請求項２】
第１地点及び第２地点の情報が入力される入力部と、
サーバーにネットワーク回線を介してアクセスし、前記サーバーに前記第１地点及び第２地点の情報を送信するとともに、前記サーバーから、前記第１地点から前記第２地点までの経路情報と、前記経路情報と関連性のある関連情報と、を受信する通信部と、
前記サーバーから受信した経路情報を表示した画像と前記関連情報にもとづく画像とを、それぞれが独立して拡大縮小できる画像として合成する画像合成部と、
前記画像合成部が合成した画像を表示する、解像度が４Ｋ以上の表示部と、を具備することを特徴とするナビゲーション装置。
【請求項３】
前記経路が、交通機関による移動経路であり、前記関連情報にもとづく画像が前記第１の地点から乗車場所までの徒歩による経路情報を含む拡大地図及び下車場所から前記第２地点までの徒歩による経路情報を含む拡大地図であることを特徴とする請求項２に記載のナビゲーション装置。
【請求項４】
前記経路が、自動車による移動経路であり、前記関連情報にもとづく画像が前記第２地点を中心とする複数の駐車場の位置を示した拡大地図及び指定された駐車場から前記第２地点までの徒歩による経路情報を含む拡大地図であることを特徴とする請求項２に記載のナビゲーション装置。
【請求項５】
前記関連情報にもとづく画像が、前記経路に沿って撮影された写真であることを特徴とする請求項２に記載のナビゲーション装置。
【請求項６】
前記通信部が、前記画像合成部が合成した画像に含まれる複数の画像を、受信した携帯端末が１枚ずつ表示できる状態になるように、クラウドサーバーに転送することを特徴とする請求項２から請求項５のいずれか１項に記載のナビゲーション装置。
【発明の詳細な説明】
【技術分野】
【０００１】
本発明の実施の形態は、サーバーからナビゲーション情報を受信し、高解像度の表示部にナビゲーション画像を表示するナビゲーション装置に関する。
【背景技術】
【０００２】
デジタルテレビ放送の映像信号として、走査線１０８０本のフルＨＤ方式（ＨＤＴＶ）が用いられている。これに対応してＨＤＴＶ対応のテレビジョン受信装置（以下、「テレビ」という。）が普及している。そして、更にＨＤＴＶ方式よりも高解像度の表示部を有するテレビも普及しつつある。
【０００３】
例えば、４Ｋ解像度方式（４Ｋ２Ｋ）の表示部の画面解像度は、ＨＤＴＶ方式の４倍の水平画素数４０００（４Ｋ）、垂直画素数２０００（２Ｋ）前後である。また、４７インチ以上の大型表示部のあるテレビも一般化しつつある。
【０００４】
一方、通信機能を有し、インターネット回線等を介して、遠隔地に設置されたサーバーから情報を取得し表示するテレビも普及している。
【０００５】
しかし、インターネット回線を介して取得される情報（ネット情報）は、一般的なコンピュータ、又は携帯端末の表示装置を基準としている。コンピュータや携帯端末の表示部はテレビの表示部ほど大きくなく、また近距離から視認されることを前提としている。これに対して、テレビの表示部は、ある程度、離れた位置から視認するように設計されている。
【０００６】
ここで、特開２００５−２７４１９７号公報には、サーバーから取得したネット情報を用いて、目的地までの経路を案内する携帯端末を有するナビゲーションシステムが開示されている。携帯端末の表示部はコンピュータの表示部よりも更に小さく、多くの画像を同時に表示することはできない。このため、携帯端末による情報表示画面は、コンピュータによる表示画面とは異なり、簡略化する等の工夫が行われている。
【０００７】
一方、大画面テレビにおけるネット情報表示は、コンピュータによる表示画面が、そのまま使用されている。このため、使用者にとって利便性がよいとは言えない場合があった。特に、４Ｋ以上の高解像度の表示部を有しているテレビであっても、その高解像度の機能を十分に活用しているとは言えない場合があった。
【先行技術文献】
【特許文献】
【０００８】
【特許文献１】特開２００６−２７４１９７号公報
【発明の概要】
【発明が解決しようとする課題】
【０００９】
本実施の形態は、高解像度の表示部の機能を十分に活用し、使用者にとって利便性がよいナビゲーション装置を提供することを目的とする。
【課題を解決するための手段】
【００１０】
本発明の一態様のナビゲーション装置は、テレビジョン放送を受信し、番組画像を生成するテレビ受信部と、第１地点及び第２地点の情報が入力される入力部と、サーバーにネットワーク回線を介してアクセスし、サーバーに第１地点及び第２地点の情報を送信するとともに、サーバーから、第１地点から第２地点までの経路情報画像と、経路情報と関連性のある関連情報画像である、第１の地点から乗車場所までの経路情報を含む地図、下車場所から第２地点までの経路情報を含む地図、第２地点を中心とする複数の駐車場の位置を示した地図、駐車場から第２地点までの徒歩による経路情報を含む地図、及び経路に沿って撮影された写真、を受信するとともに、携帯端末が１枚ずつ表示できる状態になるように指定された受信画像を、クラウドサーバーに転送する通信部と、サーバーから受信した経路情報を表示した画像と関連情報にもとづく画像とを、それぞれが独立して拡大縮小できる画像として合成する画像合成部と、番組画像及び画像合成部が合成した画像を表示する、解像度が４Ｋ以上の表示部と、を具備する。
【図面の簡単な説明】
【００１１】
【図１】第１実施形態のナビゲーション装置の構成図である。
【図２】第１実施形態のナビゲーション装置のテレビのナビゲーション画面である。
【図３】第１実施形態のナビゲーション装置の処理の流れを説明するためのフローチャートである。
【図４】従来のナビゲーション装置のテレビのナビゲーション画面である。
【図５】従来のナビゲーション装置のテレビのナビゲーション画面である。
【図６】従来のナビゲーション装置のテレビのナビゲーション画面である。
【図７】第１実施形態のナビゲーション装置のテレビのナビゲーション画面である。
【図８】第１実施形態のナビゲーション装置のテレビのナビゲーション画面である。
【図９】第２実施形態のナビゲーション装置の構成図である。
【図１０】第２実施形態のナビゲーション装置の処理の流れを説明するためのフローチャートである。
【発明を実施するための形態】
【００１２】
＜ナビゲーションシステムの構成＞
図１に示すように、本発明の実施形態のナビゲーション装置２は、サーバー３とともにナビゲーションシステム１を構成している。
【００１３】
ナビゲーション装置２は、入力部であるリモコン１１と、解像度４Ｋの表示部２０を具備するテレビジョン受信装置（テレビ）１０と、を具備する。
【００１４】
テレビ１０は、テレビ（ＴＶ）受信部２１と、通信部２２と、全体の制御及びデータ処理を行うＣＰＵ２３と、画像合成部２４と、表示部２０と、を具備する。
【００１５】
ＴＶ受信部２１は、アンテナ１２を介してデジタルテレビ放送の信号を受信するチューナーと、受信信号対して、チャンネル選局、デコード処理、高画質化処理及びスケーリング処理等を行い、表示部２０に表示する番組画像を生成する処理回路等と、を有する。ＣＰＵ２３がＴＶ受信部２１の処理回路であってもよいし、テレビ受信部２１のチューナーがケーブルテレビ回線又はインターネット回線等を介してデジタルテレビ放送の信号等を受信してもよい。
【００１６】
通信部２２は、インターネット等の有線又は無線のネットワーク回線４を介してサーバー３にアクセスし、リモコン１１を介して入力された情報を送信するとともに、サーバー３からナビゲーション情報等を取得する通信回路からなる。
【００１７】
画像合成部２４は、サーバー３から受信した複数の画像を１つの画像３０に合成する半導体回路からなる。ＣＰＵ２３と画像合成部２４とは同じ回路であってもよい。
【００１８】
図２に示すように、ナビゲーション装置２の表示部２０には、ナビゲーション画像である複数の画像３０Ａ、３０Ｂ、３０Ｃが同時に表示される。後述するように、画像３０Ａは、第１地点（出発地点）Ｓから第２地点（目標地点）Ｔまでの交通機関による移動経路Ｒ１を表示した地図等であり、画像３０Ｂは、第１地点Ｓから乗車場所（Ａ駅）までの徒歩による経路Ｒ２を表示した地図であり、画像３０Ｃは、下車場所（Ｂ駅）からから第２地点Ｔまでの徒歩による経路Ｒ３を表示した地図である。
【００１９】
ナビゲーション装置２では、特別な操作を行わなくとも、ナビゲーションのための３枚の画像が同時に表示部２０に表示されるので、使用者にとって利便性がよい。後述するように、３枚の画像３０Ａ〜３０Ｃは、いわゆるマルチウィンドウ方式で表示されている。マルチウィンドウ方式では、個々のウィンドウは、使用者が自由に移動したり、サイズを変更したり、重ねて表示したりできる。ここで、表示部２０は、解像度４Ｋであるため、複数の画像を同時に表示しても、視認性が損なわれることがない。
【００２０】
＜ナビゲーションシステムの処理＞
次に、図３のフローチャートに沿って、ナビゲーション装置２によるナビゲーションの処理の流れについて説明する。
【００２１】
＜ステップＳ１１＞
ナビゲーション装置２は、入力部であるリモコン１１の操作によりテレビ１０の電源がＯＮされると、例えば通常のＴＶ受信モードで起動する。すなわち、通常のテレビと同様に放送中の番組を視聴したり、図示しないレコーダーに録画されている番組を視聴したり、録画予約したりできる。
【００２２】
なお、入力部には、テレビ１０と通信機能のある、タブレット型端末、携帯電話、又はスマートホン等を用いてもよい。
【００２３】
リモコン１１の操作により、動作モードの選択が行われる。すなわち、テレビ１０は、ＴＶ受信モードに加えて、少なくとも、ナビゲーションモードの選択が可能である。
【００２４】
＜ステップＳ１２＞
ナビゲーションモードが選択されると、ＣＰＵ２３の制御により、通信部２２が、サーバー３と接続される。そして、サーバー３からナビゲーションモードの起動に必要な情報が送信されてくる。ナビゲーションモードの初期画面は、例えば、現在地を中心とする地図と、ナビゲーション条件を入力するための画面と、を含む。
【００２５】
＜ステップＳ１３＞
出発地点である第１地点Ｓ、目標地点である第２地点Ｔ、及び移動手段等の情報が、ナビゲーション条件としてリモコン１１の操作により入力され、サーバー３に送信される。このとき、出発時刻等も送信されてもよい。
【００２６】
第１地点Ｓ及び第２地点Ｔの情報は、緯度経度、地名、事業所名又は建物名でもよいし、画面に表示されたアイコン３９により地図上の地点が指定されてもよい。また、移動手段は、例えば、徒歩、車、交通機関の３種類から選択される。
【００２７】
＜ステップＳ１４＞
サーバー３は、ナビゲーション条件を受信すると、データベース等を用いて、経路情報を表示した地図と、経路情報と関連性のある関連情報画像と、をテレビ１０に送信する。
【００２８】
すなわち、サーバー３は、道路及び交通機関の情報等からなる経路情報と、地図情報と、経路情報と関連のある関連情報と、を含むデータベースを記憶する記憶部と、データベースにもとづき第１地点から第２地点までの経路を検索する検索部と、検索部の検索結果にもとづき経路情報を表示した地図（経路情報画像）と関連情報にもとづく画像（関連情報画像）を作成する画像作成部と、画像作成部が作成した経路情報画像及び関連情報画像を送信するサーバー通信部と、を具備する。
【００２９】
経路手段が交通機関の場合には、関連情報画像は、例えば第１の地点Ｓから最寄りの駅又はバス停留所等、すなわち乗車場所までの徒歩による経路情報を表示した拡大地図、及び、第２地点Ｔの最寄り駅等、すなわち下車場所から第２地点Ｔまでの徒歩による経路情報を表示した拡大地図である。
【００３０】
＜ステップＳ１５＞
画像合成部２４は、通信部２２が受信した３枚の画像を、表示部２０に、それぞれが独立して拡大縮小可能で、かつ、全体が同時に表示できるように１画面に画像合成する。
【００３１】
＜ステップＳ１６＞
図２に示したように、表示部２０に、画像合成部２４が合成した画像３０が表示される。
【００３２】
ここで、比較のため、図４及び図５を用いて、従来のナビゲーション機能のあるテレビ１１０について説明する。テレビ１１０は、マルチウィンドウ表示できるように複数の画像を合成する画像合成部２４を有していない。
【００３３】
このため、図４に示すように、表示部１２０に表示されるナビゲーション画像は、例えば、全体の経路情報を表示した画像３０Ａだけである。なお、画像３０Ａは、地図画像３０Ａ１と、条件入力支援画像３０Ａ２と、経路一覧画像３０Ａ３と、経路詳細情報画像３０Ａ４と、を含む。
【００３４】
経路一覧画像３０Ａ３は、複数の経路の所要時間及び交通費等を示している。経路詳細情報画像３０Ａ４は、路線名、乗車駅、下車駅、出発時刻に応じた電車の時刻等を表示している。
【００３５】
すなわち、従来のテレビ１１０でも、複数の画像３０Ａ１〜３０Ａ４を合成した画像３０Ａを表示している。しかし、画像３０Ａは、それぞれの画像が独立して拡大縮小等の操作が行えるマルチウィンドウ方式ではない。このため、アイコン操作により、第１地点Ｓの拡大地図表示が指示されると、図５に示すように第１地点Ｓの周辺の地図画像３０Ｂが全面に表示され、画像３０Ａは見えなくなる。
【００３６】
これに対して、テレビ１０では、画像合成部２４が複数の画像をマルチウィンドウ表示できるように合成する。更に、使用者の操作により表示画面を変更することが容易である、例えば、図６に示すように、画像３０Ａ、３０Ｂをそれぞれ縮小し、画像３０Ａの前面に画像３Ｂを表示した合成画像３１を、表示部２０に表示できる。
【００３７】
表示部２０は、解像度４Ｋであるため、画像を縮小表示しても、視認性が劣化することはない。このため、使用者は必要な情報を容易に取得できる。解像度は４Ｋ以上であれば複数の画像の同時表示に支障が生じない。解像度の上限は特に限定されず、いわゆるスーパーハイビジョン（水平７６８０×垂直４３２０）方式であってもよい。
【００３８】
なお、表示部２０のサイズ（対角線長）は、４７インチ以上が好ましく、特に好ましくは５５インチ以上である。表示部２０のサイズの上限は特になく、大きいほど好ましいが、視聴距離に応じて適宜選択される。
【００３９】
また、表示部２０は、液晶表示部、有機ＥＬ表示部、又はプラズマ表示部等に加えて、投影面に画像を投影するプロジェクタ表示部でもよい。なお、プロジェクタ表示部での表示部のサイズは投影面におけるサイズである。
【００４０】
表示部２０と同等の高解像度の表示部を具備していれば、ＴＶ放送受信機能を有していないコンピュータ又はタブレット端末等もナビゲーション装置２として用いることは可能である。しかし、ナビゲーション装置２は、表示部が大きい据え置き型であることが好ましい。
【００４１】
なお、使用者が手元で操作する入力部が、表示部を有するタブレット端末等の場合には、表示部２０に表示されていた画像３０の一部をタブレット端末に転送し表示できるようにしてもよい。例えば、経路詳細情報画像３０Ａ４だけを、タブレット端末に表示することで、利便性が向上する。
【００４２】
ここで、図２に示した合成画像３０は、経路Ｒ１を表示した画像３０Ａが横長のため、画像３０Ａの下に画像３０Ｂと画像３０Ｃとが配置されたレイアウトで、３枚の画像３０Ａ〜３０Ｃが合成されている。経路Ｒ１によっては画像３０Ａは縦長となる場合もある。このような場合には、画像３０の左側に画像３０Ａを配置し、右側に画像３０Ｂ、３０Ｃを上下に配置したレイアウトに変更される。すなわち、画像合成部２４は、主画面である画像３０Ａの縦横比に応じて、合成する複数の画像のレイアウトを適宜、自動的に調整することが視認性を向上するために好ましい。
【００４３】
＜ステップＳ１７、Ｓ１８＞
使用者の入力部を介した指示にもとづき、画面表示に新たな情報が必要な場合には、ステップＳ１４からの処理が行われる。
【００４４】
例えば、関連情報画像として、経路Ｒ１に沿って撮影された写真を表示する場合には、図７に示すように、表示部２０に、画像３０Ａと、画像３０Ｂと、第１地点Ｓで経路Ｒ１に沿って撮影された写真画像３０Ｄとが合成された合成画像３２が表示される。写真画像３０Ｄは予め各地で撮影された多数の写真が記録されたサーバー３のデータベースから抽出される。写真画像３０Ｄとしては、例えば、入力部によるアイコン操作により、経路上の任意の第３地点で撮影された写真に変更したり、視野方向を変更したりできる。
【００４５】
また、車による移動経路が検索された場合には、図８に示すように、車による移動経路Ｒ４が含まれた地図３０Ａと、目標地点である第２地点Ｔを中心とする複数の駐車場Ａ、Ｂ、Ｃの位置を示した地図３０Ｅと、所定の駐車場から第２地点Ｔまでの徒歩による経路Ｒ５を含む地図３０Ｆと、がマルチウィンドウ表示される。
【００４６】
すなわち、地図３０Ｅに表示される駐車場Ａ、Ｂ、Ｃの中から使用者が駐車場Ｂを選択すると、駐車場Ｂから第２地点Ｔまでの徒歩による経路Ｒ５を含む地図３０Ｆが表示される。
【００４７】
なお、駐車場の空き情報及び料金等が、記号又は色別等で地図３０Ｅに表示されていてもよい。
【００４８】
＜ステップＳ１９、Ｓ２０＞
ナビゲーションモード終了指示があると、ナビゲーションモードが終了し、サーバー３との接続も終了する。
【００４９】
以上の説明のように、実施形態のナビゲーション装置２の画像合成部２４は、第１地点Ｓから第２地点Ｔまでの経路情報画像３０Ａと、経路情報と関連性のある関連情報画像である、第１の地点Ｓから乗車場所までの経路情報を含む地図３０Ｂ、下車場所から第２地点Ｔまでの経路情報を含む地図３０Ｃ、第２地点Ｔを中心とする複数の駐車場の位置を示した地図３０Ｅ、駐車場から第２地点までの徒歩による経路情報を含む地図３０Ｆ、及び経路に沿って撮影された写真３０Ｄから選択される複数の画像をマルチウィンドウ表示できるように合成する。
【００５０】
経路Ｒ１を表示した地図３０Ａと、経路Ｒ１と関係のある画像３０Ｂ、３０Ｃ等と、が自動的にマルチウィンドウ方式で表示部２０に表示されるナビゲーション装置２は、高解像度の表示部２０の機能を十分に活用しており、使用者にとって利便性がよい。
【００５１】
＜第２実施形態＞
次に、第２実施形態のナビゲーション装置２Ａについて説明する。ナビゲーション装置２Ａは、ナビゲーション装置２と類似しているので、類似機能の構成要素には同じ符号を付し説明は省略する。
【００５２】
図９に示すように、ナビゲーション装置２Ａを含むナビゲーションシステム１Ａは、クラウドサーバー３Ａと、携帯端末９と、を含む。また、図示するように、ナビゲーション装置２Ａの入力部は、タブレット端末１１Ａであるが、すでに説明したように、これに限られるものではない。
【００５３】
次に、図１０のフローチャートに沿って、ナビゲーション装置２Ａによるナビゲーションの処理の流れについて説明する。
【００５４】
＜ステップＳ１１〜Ｓ２０＞
すでに説明したナビゲーション装置２により処理と同様であるので説明は省略する。
【００５５】
＜ステップＳ２１、Ｓ２２＞
ナビゲーション装置２Ａでは、入力部であるタブレット端末１１Ａを介して、表示部３０に表示されている合成画像３０の転送指示が可能である。すなわち、使用者は自宅でテレビ１０を操作することにより、テレビ１０の表示部３０に表示されている合成画像３０をクラウドサーバー３Ａに転送できる。ナビゲーション装置２Ａによる処理が終了しても、クラウドサーバー３Ａに転送された画像は保存されている。このため、使用者は、外出したときに、取得したナビゲーション情報の画像を、クラウドサーバー３Ａにアクセスすることにより、携帯端末９の表示部２０Ａで確認できる。
【００５６】
携携帯電話、スマートホン又はタブレット端末等の携帯端末９は、可搬性に優れているが、表示部２０Ａのサイズは小さい。このため、テレビ１０の表示画面に表示された合成画像３０を表示すると詳細が確認できない。
【００５７】
これに対して、ナビゲーション装置２Ａでは、転送指示があると、通信部２２は、画像合成部２４が合成した画像３０ではなく、合成前の複数の画像３０Ａ〜３０Ｃの状態でサーバー３を介してクラウドサーバー３Ａに転送する。
【００５８】
言い換えれば、通信部２２Ａは、画像合成部２４が合成した画像に含まれる複数の画像のうち、選択された画像を、受信した携帯端末９が１枚ずつ表示できる状態になるように、クラウドサーバー３Ａに転送する
使用者がデータを自由に保存でき、ネット回線を介してアクセス可能なクラウドサーバー３Ａと、サーバー３と、は同一のサーバーであってもよい。
【００５９】
ナビゲーション装置２Ａは、ナビゲーション装置２の機能を有し、更に外出先で携帯端末９の小さな表示部２０Ａを用いても、ナビゲーション装置２Ａによる検索結果を活用できるため、より利便性がよい。
【００６０】
本発明のいくつかの実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、種々の省略、置き換え、変更ができる。これら実施形態やその変形は、発明の範囲や要旨に含まれるとともに、特許請求の範囲に記載された発明とその均等の範囲に含まれる。
【符号の説明】
【００６１】
１、１Ａ…ナビゲーションシステム、２、２Ａ…ナビゲーション装置、３…サーバー、３Ａ…クラウドサーバー、９…携帯端末、１０…テレビ、１１…リモコン、１１Ａ…タブレット端末、１２…アンテナ、２０…表示部、２１…テレビ受信部、２２…通信部、２３…ＣＰＵ、２４…画像合成部、３９…アイコン
【図１】
2014115257.tif 000003
【図２】
2014115257.tif 000004
【図３】
2014115257.tif 000005
【図４】
2014115257.tif 000006
【図５】
2014115257.tif 000007
【図６】
2014115257.tif 000008
【図８】
2014115257.tif 000009
【図９】
2014115257.tif 000010
【図１０】
2014115257.tif 000011
【図７】
2014115257.tif 000012